(57)【要約】【課題】光を利用した多種多様な加飾が得られるようにして、特徴的で固有の雰囲気を醸し出させる美的もしくは斬新で新奇な装飾効果を生じさせることができる収納ケースを提供する。【解決手段】内容物として、液状物や粉状物、クリーム状物を収納するケース本体３に、これより分離可能に着脱されて当該ケース本体を開閉する蓋体４を備えた収納ケース１において、蓋体に光源装置１４を設けるとともに、蓋体に、光源装置の光を透過させるカバー６を設けた。蓋体が、ケース本体に着脱される着脱ピース５と着脱ピースに装着されるカバーとから構成され、光源装置が、これらカバーと着脱ピースとの間に設けられる。光源装置は、ＲＧＢ光源１５と、光源の発光をコントロールするコントローラを実装した電子基板１６と、これらコントローラおよび光源に電力を供給するバッテリ１７とから構成される。【選択図】          図２
2004338748.tif 000002
【特許請求の範囲】
【請求項１】
内容物として、液状物や粉状物、クリーム状物を収納するケース本体に、これより分離可能に着脱されて当該ケース本体を開閉する蓋体を備えた収納ケースにおいて、上記蓋体に光源装置を設けるとともに、上記蓋体に、上記光源装置の光を透過させる光透過部を形成したことを特徴とする収納ケース。
【請求項２】
前記蓋体が、前記ケース本体に着脱される着脱ピースと該着脱ピースに装着されるカバーとから構成され、前記光源装置が、これらカバーと着脱ピースとの間に設けられることを特徴とする請求項１に記載の収納ケース。
【請求項３】
前記光源装置は、光源と、該光源の発光をコントロールするコントローラと、これらコントローラおよび光源に電力を供給するバッテリとからなることを特徴とする請求項１または２に記載の収納ケース。
【発明の詳細な説明】
【０００１】
【発明の属する技術分野】
本発明は、光を利用した多種多様な加飾が得られるようにして、特徴的で固有の雰囲気を醸し出させる美的もしくは斬新で新奇な装飾効果を生じさせることができる収納ケースに関する。
【０００２】
【従来の技術】
従来、例えば特許文献１および２に示されているように、内容物として、液状物や粉状物、クリーム状物を収納するケース本体に、ネジや径嵌合によって分離可能に着脱されて当該ケース本体を開閉する蓋体を備えた収納ケースが知られている。そしてこの種の収納ケースの構成要素である蓋体に関して、そのデザイン性を高めるために、従来からさまざまな方法によって加飾が施されている。例えば、塗装などにより着色したり、スパッタリングなどによって表面処理を行ったり、プレート材や転写シートを用いて平面的あるいは立体的に文字や模様などを施したり、模様などを付した上に透明・半透明の層を重ねたりするなどして、蓋体の表面に装飾を施すようにしていた（例えば、特許文献３参照）。
【０００３】
なお、本願出願人は、関連する先行出願として、特願２００２−２２１１８９号および特願２００３−１１６２８９号を出願している。
【０００４】
【特許文献１】
特開２００２−２７４２号公報
【特許文献２】
実開平１−１３０９５７号公報
【特許文献３】
特開平７−８８８９０号公報
【０００５】
【発明が解決しようとする課題】
上記従来の技術で得られる加飾はいずれも、既にありきたりなものであり、装飾を施すという技術面から見ると、限界があった。
【０００６】
ここに本発明者は、上述したようなこれまでの加飾技術では考えられていなかった、光源からの光を利用することに着目し、光によって加飾を行うことによって、収納ケースに、今まで見たことのない美的装飾効果を与え得るとの知見を得て、本発明を完成するに至ったものである。
【０００７】
本発明は上記従来の課題に鑑みて創案されたものであって、光を利用した多種多様な加飾が得られるようにして、特徴的で固有の雰囲気を醸し出させる美的もしくは斬新で新奇な装飾効果を生じさせることができる収納ケースを提供することを目的とする。
【０００８】
【課題を解決するための手段】
本発明にかかる収納ケースは、内容物として、液状物や粉状物、クリーム状物を収納するケース本体に、これより分離可能に着脱されて当該ケース本体を開閉する蓋体を備えた収納ケースにおいて、上記蓋体に光源装置を設けるとともに、上記蓋体に、上記光源装置の光を透過させる光透過部を形成したことを特徴とする。
【０００９】
蓋体に設けた光源装置からの光を、蓋体に形成した光透過部から外方へ透過させて、光透過部やその周辺が照らし出されるようにしていて、光透過部によって蓋体の表面に、光を利用した多種多様な加飾を得ることが可能になり、これにより収納ケースに、特徴的で固有の雰囲気を醸し出させる美的もしくは斬新で新奇な装飾効果を生じさせ得る。
【００１０】
また、前記蓋体が、前記ケース本体に着脱される着脱ピースと該着脱ピースに装着されるカバーとから構成され、前記光源装置が、これらカバーと着脱ピースとの間に設けられることを特徴とする。蓋体を着脱ピースとカバーとから構成し、これら着脱ピースとカバーとの間に光源装置を設けるようにしていて、蓋体への光源装置の組み付けを容易に行い得る。
【００１１】
さらに、前記光源装置は、光源と、該光源の発光をコントロールするコントローラと、これらコントローラおよび光源に電力を供給するバッテリとからなることを特徴とする。コントローラで光源の発光をコントロールするようにしていて、これにより視覚的に訴える、光による多種多様な演出効果が得られ、収納ケースに、特徴的で固有の雰囲気を醸し出させる美的もしくは斬新で新奇な装飾を施すことが可能となる。
【００１２】
【発明の実施の形態】
以下に、本発明にかかる収納ケースの第１の実施形態を、添付図面を参照して詳細に説明する。本実施形態にかかる収納ケース１は図１および図２に示すように、上端部に開口部２が形成されるとともに、その内部に内容物として、液状物や粉状物、クリーム状物を収納する円筒体状のケース本体３と、このケース本体３の平面外形輪郭に沿って円筒体状に形成され、開口部２を開閉すべくケース本体３に分離可能に着脱される蓋体４とから主に構成される。
【００１３】
蓋体４について説明すると、これは、ケース本体３に着脱される着脱ピース５と、この着脱ピース５に装着されるカバー６とから構成される。着脱ピース５は、その下面にケース本体３の開口部２周縁と圧接されるシールパッキン７が設けられた円板状の蓋部８と、この蓋部８の外周縁から下方に垂下されて、ケース本体３上端部に形成されたネジ部９と螺合されるネジ部１０が形成された環状スカート部１１と、蓋部８の外周縁から上方へ起立されて、その内部に上方へ開放された凹所１２を区画形成する環状周壁部１３とから構成される。
【００１４】
そして蓋体４は、そのネジ部１０がケース本体３のネジ部９に螺合されることにより、ケース本体３から分離可能に着脱され、これによりケース本体３、ひいてはその開口部２が蓋体４によって開閉されるようになっている。しかしながら、蓋体４のケース本体３に対する装着は、ネジ部９，１０に限らず、周知の径嵌合などによってもよいことはもちろんである。カバー６は、環状周壁部１３の内周に沿う円板状に形成され、環状周壁部１３内方に凹所１２を覆って着脱自在に取り付けられる。
【００１５】
そして本実施形態にあっては、着脱ピース５とこれに装着されたカバー６との間には、蓋体４内部に組み込んで光源装置１４が設けられる。具体的には、カバー６に覆われた凹所１２の底面となる蓋部８の上面に、これに載置して光源装置１４が設けられる。光源装置１４は、凹所１２を覆うカバー６に向けて配置される、複数の光素子からなるＲＧＢ光源１５と、このＲＧＢ光源１５の各色の発光量をコントロールするコントローラを構成する電子部品が実装された電子基板１６と、これら電子基板１６およびこれを介してＲＧＢ光源１５に電力を供給するボタン型電池などのバッテリ１７とから構成される。
【００１６】
図示例にあっては、蓋部８上面の中央部には、これより鉤状に突出させてバッテリ１７を着脱自在に保持する係止爪１９が形成されるとともに、この係止爪１９を取り囲む蓋部８の周縁部上に、環状に形成された電子基板１６が取り付けられ、この環状の電子基板１６上にその周方向に適宜間隔を隔てて複数の光素子（ＲＧＢ光源１５）が直接実装される。
【００１７】
ＲＧＢ光源１５の光素子としては、ＬＥＤや有機エレクトロルミネセンス（ＥＬ）素子など、従来知られている各種のものを採用することができる。コントローラを構成する電子部品には、ＲＧＢ光源１５の発光をコントロールするプログラミングが書き込まれたＩＣチップ等の制御素子が含まれ、図示しないスイッチによってバッテリ１７から電力が供給されることにより、プログラミングに従ってＲＧＢ光源１５を発光させる。
【００１８】
ＲＧＢ光源１５の発光のさせ方としては、例えば全体の発光量を増減させてゆっくりと明滅させながら、この明滅の間に、赤、緑および青の発光割合を順次変化させてさまざまな色合いで発光させたり、あるいは短い時間間隔で明滅させながらそのたびにさまざまな色に変えて発色させるなど、どのようなプログラミングを制御素子に格納してもよい。光源としては、ＲＧＢ光源１５に限らず、単色光の光源であってもよいことはもちろんである。
【００１９】
また、スイッチについては図示していないけれども、例えば、手動のメインスイッチおよび手動のサブスイッチの両方を蓋体４に設け、メインスイッチのオン・オフによって光源装置１４の作動・非作動を切り換え、サブスイッチのオン・オフによって光源装置１４の発光・消灯を切り換えるようにし、メインスイッチの「オン」状態でサブスイッチを「オン」とすることで、ＲＧＢ光源１５が発光するようにすればよい。サブスイッチについては、蓋体４およびケース本体３のネジ部９，１０に、バッテリ１７と導通される接点を設けておき、蓋体４をある程度ねじ込んだ位置で接点が接触し、これによりＲＧＢ光源１５を発光させるなどの方法もある。もちろん、メインスイッチのみを設けて、そのオン・オフ操作のみで発光させるようにしてもよい。
【００２０】
そして特に、蓋体４には、ＲＧＢ光源１５の光を透過させる光透過部が形成される。本実施形態にあっては、着脱ピース５は光を透過させない金属製や合成樹脂製などの遮光性の素材で形成されたり、あるいは遮光性の着色が施される一方で、蓋体４を構成するカバー６全体が、無色もしくは有色の、透明あるいは半透明の合成樹脂材やガラス材、クリスタル材などの透光性の素材で形成されて、当該カバー６全体が光透過部として形成される。そしてカバー６は、ＲＧＢ光源１５からの光を凹所１２内から外方へと照射させて、その全体が当該光によって照らし出されるようになっている。
【００２１】
次に、上記構成を備える本実施形態の収納ケース１の作用について説明する。図示しないメインスイッチを入れると、バッテリ１７からＲＧＢ光源１５や電子基板１６に電力が供給され、ＲＧＢ光源１５は、制御素子に書き込まれたプログラミングに従って、明滅などしながら多種多様な色合いや明るさで発光する。このＲＧＢ光源１５の光は、光透過部としてのカバー６全体から外部へ向かって照射され、収納ケース１の外観の一部をなす蓋体４のカバー６表面全体を様々な態様で照らし出す。メインスイッチを切ると、ＲＧＢ光源１５は消灯される。
【００２２】
以上説明した本実施形態にかかる収納ケース１にあっては、着脱ピース５とカバー６との間に設けた光源装置１４からの光が、その全体を透光性素材で形成したカバー６から外方へ透過して、当該カバー６の表面全体が照らし出されるようになっている。これにより、収納ケース１の表面の一部をなす蓋体４のカバー６に、光を利用した多種多様な加飾を得ることができ、収納ケース１に、特徴的で固有の雰囲気を醸し出させる美的もしくは斬新で新奇な装飾効果を生じさせることができる。
【００２３】
また、光源装置１４を、ＲＧＢ光源１５と、ＲＧＢ光源１５の発光をコントロールするコントローラを搭載した電子基板１６と、これら電子基板１６およびＲＧＢ光源１５に電力を供給するバッテリ１７とから構成し、コントローラでＲＧＢ光源１５の発光をコントロールするようにしたので、これにより視覚的に訴える、光による多種多様な演出効果を得ることができ、収納ケース１に、特徴的で固有の雰囲気を醸し出させる美的もしくは斬新で新奇な装飾を施すことができる。
【００２４】
さらに、蓋体４を着脱ピース５とカバー６とから構成し、これらの間に光源装置１４を設けるようにしていて、蓋体４への光源装置１４の組み付け作業を容易化することができる。本実施形態にあっては、カバー６を着脱ピース５に着脱自在に設けるようにしたので、バッテリ１７の交換なども容易に行うことができる。
【００２５】
図３および図４には、本発明にかかる収納ケースの第２の実施形態が示されている。この実施形態の蓋体４にあっては、着脱ピース５が、環状周壁部を備えず、蓋部８および環状スカート部１１からのみ形成されるとともに、カバー６は、凹所に代わる空間部２０を形成すべく、その内周の適宜位置に蓋部８と係止される段部２１が形成された円筒体状に形成され、脱着ピース５にその全体を覆って設けられる。またこの実施形態にあっては、カバー６は、そのおおよそ全体が遮光性の素材で形成される一方で、部分的に空間部２０からカバー６の表面に向かってＲＧＢ光源１５の光を透過させる光透過部２２が形成される。
【００２６】
図示例にあっては、カバー６には、その表裏を貫通するスリット２３が複数形成されるとともに、これらスリット２３には、無色もしくは有色の、透明あるいは半透明の合成樹脂材やガラス材、クリスタル材などの透光性の素材でなる透光部材２４が設けられ、これにより光透過部２２が形成される。カバー６を合成樹脂で成形する場合には、インサート成形を利用すれば、簡単に透光部材２４をカバー６に設けることができる。そしてスリット２３の透光部材２４は、ＲＧＢ光源１５からの光を蓋体４外部へと透過させて、当該スリット２３が照らし出されるようになっている。このような第２の実施形態にあっても、第１の実施形態と同様な作用・効果を得ることができることはもちろんである。
【００２７】
殊に、このように部分的に光透過部２２を形成するようにすれば、文字やマーク、そのほか所望のデザインに従って任意形状の各種形態の光透過部２２を蓋体４に形成できることとなり、さらに優れた装飾効果を得ることができる。
【００２８】
図５および図６には、本発明にかかる収納ケースの第３の実施形態が示されている。この実施形態の蓋体４にあっては、第２の実施形態のカバー６が全体的に透光性素材で形成されている。この実施形態では、ＲＧＢ光源１５からの光によって、蓋体４全体、すなわち脱着ピース５全体を覆うカバー６全体を照らし出すことができるようになっている。このような実施形態にあっても、上記実施形態と同様の作用・効果を奏することはもちろんである。
【００２９】
光透過部を部分的に形成する場合は、その他の部分が光源装置１４からの光を遮るように構成すればよく、例えば、部分的に打ち抜き部などを形成した不透明のシート材や樹脂成形部品などの遮光性マスクを、蓋体４にインサート成形などによって設けるようにすれば、これにより当該遮光性マスクの打ち抜き部によって部分的な光透過部を形成することができる。遮光性マスクについては、不透明塗料を蓋体４に部分的に塗装することによっても形成することができる。遮光性マスクについてはさらにまた、デザインに従って打ち抜いた金属板の装着や、スパッタリングなどの方法によってもよいことはもちろんである。
【００３０】
【発明の効果】
以上要するに、本発明にかかる収納ケースにあっては、光を利用した多種多様な加飾が得られるようにして、特徴的で固有の雰囲気を醸し出させる美的もしくは斬新で新奇な装飾効果を生じさせることができる。
【図面の簡単な説明】
【図１】本発明にかかる収納ケースの第１の実施形態を示す斜視図である。
【図２】図１に示した収納ケースの側断面図である。
【図３】本発明にかかる収納ケースの第２の実施形態を示す斜視図である。
【図４】図３に示した収納ケースの側断面図である。
【図５】本発明にかかる収納ケースの第３の実施形態を示す斜視図である。
【図６】図５に示した収納ケースの側断面図である。
【符号の説明】
１  収納ケース                      ３  ケース本体
４  蓋体                            ５  着脱ピース
６  カバー                          １２  凹所
１４  光源装置                      １５  ＲＧＢ光源
１６  電子基板                      １７  バッテリ
２０  空間部                        ２２  光透過部
２３  スリット                      ２４  透光部材
【図１】
2004338748.tif 000003
【図２】
2004338748.tif 000004
【図３】
2004338748.tif 000005
【図４】
2004338748.tif 000006
【図５】
2004338748.tif 000007
【図６】
2004338748.tif 000008